(57)【要約】  出力部に出力可能なコンテンツのコンテンツデータであって、現時点において配信されている前記コンテンツデータを受信し、前記コンテンツに対応付けてＷＥＢ上に投稿される投稿情報の投稿状況を評価する評価値を算出し、前記評価値に基づき、前記コンテンツのうち前記出力部に出力されているメインコンテンツを、前記コンテンツのうち前記出力部に出力されていないサブコンテンツに切り替える切替条件が満たされているか否かを判定し、前記切替条件が満たされていると判定された場合、前記コンテンツを切り替えるための情報を前記出力部に出力する。
2013133010.tif 000002
【特許請求の範囲】
【請求項１】
出力部に出力可能なコンテンツのコンテンツデータであって、現時点において配信されている前記コンテンツデータを受信する通信部と、
前記コンテンツに対応付けてＷＥＢ上に投稿される投稿情報の投稿状況を評価する評価値を算出する評価値算出部と、
前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、
前記切替条件が満たされていると判定された場合、前記コンテンツを切り替えるための情報を出力するように前記出力部を制御する出力制御部と、
を備えることを特徴とする表示システム。
【請求項２】
前記出力制御部は、前記コンテンツを切り替えるための情報として、前記メインコンテンツの前記評価値よりも前記評価値が高い前記サブコンテンツに切り替えるための情報を出力するように前記出力部を制御することを特徴とする請求項１に記載の表示システム。
【請求項３】
前記判定部は、前記メインコンテンツの前記評価値が予め決められた閾値未満である場合、前記切替条件が満たされていると判定することを特徴とする請求項１あるいは２に記載の表示システム。
【請求項４】
前記判定部は、前記メインコンテンツの前記評価値が前記サブコンテンツの前記評価値よりも低い場合、前記切替条件が満たされていると判定することを特徴とする請求項１から３のうちいずれか一項に記載の表示システム。
【請求項５】
前記出力制御部は、前記切替条件が満たされていると判定された場合、前記メインコンテンツの前記評価値よりも前記評価値が高い前記サブコンテンツに、前記出力部の出力を切り替えることを特徴とする請求項１から４のうちいずれか一項に記載の表示システム。
【請求項６】
前記出力制御部は、前記評価値算出部が算出した前記評価値を出力するように前記出力部を制御することを特徴とする請求項１から５のうちいずれか一項に記載の表示システム。
【請求項７】
前記出力部に出力表示されている操作画像部に入力された操作を受け付ける操作部をさらに備え、
前記出力制御部は、前記メインコンテンツを前記サブコンテンツに切り替えるための前記操作画像部を出力表示するように前記出力部を制御することを特徴とする請求項１から６のうちいずれか一項に記載の表示システム。
【請求項８】
出力部に出力可能なコンテンツのコンテンツデータであって、現時点において配信されている前記コンテンツデータを受信する通信部と、
前記コンテンツに対応付けてＷＥＢ上に投稿される投稿情報の投稿状況を評価する評価値を算出する評価値算出部と、
前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、
前記切替条件が満たされていると判定された場合、前記コンテンツを切り替えるための情報を出力するように前記出力部を制御する出力制御部と、
を備えることを特徴とする表示装置。
【請求項９】
出力部に出力可能なコンテンツのコンテンツデータであって、現時点において配信されている前記コンテンツデータを受信するステップと、
前記コンテンツに対応付けてＷＥＢ上に投稿される投稿情報の投稿状況を評価する評価値を算出するステップと、
前記評価値に基づき、前記コンテンツのうち前記出力部に出力されているメインコンテンツを、前記コンテンツのうち前記出力部に出力されていないサブコンテンツに切り替える切替条件が満たされているか否かを判定するステップと、
前記切替条件が満たされていると判定された場合、前記コンテンツを切り替えるための情報を前記出力部に出力するステップと、
を備えることを特徴とする表示方法。
【請求項１０】
コンピュータを、
出力部に出力可能なコンテンツのコンテンツデータであって、現時点において配信されている前記コンテンツデータを受信する通信手段、
前記コンテンツに対応付けてＷＥＢ上に投稿される投稿情報の投稿状況を評価する評価値を算出する評価値算出手段、
前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定手段、
前記切替条件が満たされていると判定された場合、前記コンテンツを切り替えるための情報を出力するように前記出力部を制御する出力制御手段、
として機能させるためのプログラム。
【発明の詳細な説明】
【技術分野】
【０００１】
本発明は、表示システム、表示装置、表示方法、およびプログラムに関する。
【背景技術】
【０００２】
近年、スマートフォンやタブレット型端末等の携帯端末が普及している。この携帯端末として、テレビの放送波を受信する機能や、インターネット接続をする機能を搭載したものがある。ユーザは、この携帯端末を用いて、テレビや音楽等のコンテンツの閲覧や視聴をすることができる。
例えば、放送されたテレビ番組等の複数のコンテンツの中から、ユーザに関するユーザ情報や、話題性に関する話題性情報等に基づいて予測するコンテンツを検索し、検索により索出したコンテンツをユーザへ提供するものがある（例えば、特許文献１参照）。
また、各チャネルで放送されている番組のコンテンツを複数のチャプタに分割し、各チャプタから得られた盛り上がり度（野球放送番組のホームランシーンやサッカー放送番組のゴールシーンなどで高くなる）等に応じて各チャプタのスコアを計算し、計算されたスコアに基づきユーザに最もおすすめのチャプタを順次再生するものがある（例えば、特許文献２参照）。
さらに、主番組の画像と副番組の画像とを同時に表示し、副番組が盛り上がると、出力音声を、主番組の音声から副番組の音声に切り換えるものがある（例えば、特許文献３）。【０００３】
また、ユーザは、ツイッター（登録商標）やフェイスブック（登録商標）等のソーシャルネットワーキングサービスを利用して、画像やテキストデータを投稿することにより、ＷＥＢ上において最近の状況を共有したり、今思ったことを共有している。このようにして投稿された投稿情報の投稿状況を観察することにより、投稿状況が盛り上がっている場合はテレビ番組の人気が高く、投稿状況が盛り上がっていない場合はテレビ番組の人気が低いと予想することができる。
【先行技術文献】
【特許文献】
【０００４】
【特許文献１】特開２００３−１９９０８４号公報
【特許文献２】特開２００７−１６６３６３号公報
【特許文献３】特開２０１０−１０９７９２号公報
【発明の概要】
【発明が解決しようとする課題】
【０００５】
しかしながら、テレビ番組等のコンテンツを閲覧しているユーザが、投稿情報も同時に閲覧して、投稿情報から現在盛り上がっているテレビ番組を探し出すことは非常に困難であった。【０００６】
本発明は、上記の課題を解決することができる表示システム、表示装置、表示方法、およびプログラムを提供することを目的とする。
【課題を解決するための手段】
【０００７】
この発明は上述した課題を解決するためになされたもので、出力部に出力可能なコンテンツのコンテンツデータであって、現時点において配信されている前記コンテンツデータを受信する通信部と、前記コンテンツに対応付けてＷＥＢ上に投稿される投稿情報の投稿状況を評価する評価値を算出する評価値算出部と、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、前記切替条件が満たされていると判定された場合、前記コンテンツを切り替えるための情報を出力するように前記出力部を制御する出力制御部と、を備える表示システムを提供する。【０００８】
本発明はまた、出力部に出力可能なコンテンツのコンテンツデータであって、現時点において配信されている前記コンテンツデータを受信する通信部と、前記コンテンツに対応付けてＷＥＢ上に投稿される投稿情報の投稿状況を評価する評価値を算出する評価値算出部と、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、前記切替条件が満たされていると判定された場合、前記コンテンツを切り替えるための情報を出力するように前記出力部を制御する出力制御部と、を備える表示装置も提供する。【０００９】
本発明はまた、出力部に出力可能なコンテンツのコンテンツデータであって、現時点において一斉に配信されている前記コンテンツデータを受信するステップと、前記コンテンツに対応付けてＷＥＢ上に投稿される投稿情報の投稿状況を評価する評価値を算出するステップと、前記評価値に基づき、前記コンテンツのうち前記出力部に出力されているメインコンテンツを、前記コンテンツのうち前記出力部に出力されていないサブコンテンツに切り替える切替条件が満たされているか否かを判定するステップと、前記切替条件が満たされていると判定された場合、前記コンテンツを切り替えるための情報を前記出力部に出力するステップと、を備える表示方法も提供する。【００１０】
本発明はまた、コンピュータを、出力部に出力可能なコンテンツのコンテンツデータであって、現時点において一斉に配信されている前記コンテンツデータを受信する通信手段、前記コンテンツに対応付けてＷＥＢ上に投稿される投稿情報の投稿状況を評価する評価値を算出する評価値算出手段、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定手段、前記切替条件が満たされていると判定された場合、前記コンテンツを切り替えるための情報を出力するように前記出力部を制御する出力制御手段、として機能させるためのプログラムも提供する。
【発明の効果】
【００１１】
本発明によれば、出力部に出力されているコンテンツを切り替える適切なタイミングを容易に知ることができる。
【図面の簡単な説明】
【００１２】
【図１】本発明の一実施形態に係る表示システムの概略構成の一例を示す図である。
【図２】本発明の一実施形態に係る表示装置（携帯端末）の構成の一例を示すブロック図である。
【図３】本発明の一実施形態に係る表示装置（携帯端末）の表示部に表示される表示画面の一例を示す図である。
【図４】本発明の一実施形態に係るサーバの構成の一例を示すブロック図である。
【図５】本発明の一実施形態に係るコンテンツ放送情報テーブルの一例を示す図である。
【図６】本発明の一実施形態に係るユーザ属性情報テーブルの一例を示す図である。
【図７】本発明の一実施形態に係る投稿情報テーブルの一例を示す図である。
【図８】本発明の一実施形態に係る投稿情報の登録方法の一例を説明するためのフローチャートである。
【図９】本発明の一実施形態に係る表示方法の一例を説明するためのフローチャートである。
【図１０】本発明の一実施形態に係る表示方法の他の例を説明するためのフローチャートである。
【図１１Ａ】本発明の一実施形態に係る「コンテンツを切り替えるための情報」の一例を示すための図である。
【図１１Ｂ】同様に、「コンテンツを切り替えるための情報」の上記例を示すための図である。
【図１２Ａ】本発明の一実施形態に係る「コンテンツを切り替えるための情報」の一例を示す図である。
【図１２Ｂ】同様に、「コンテンツを切り替えるための情報」の上記例を示すための図である。
【図１２Ｃ】同様に、「コンテンツを切り替えるための情報」の上記例を示すための図である。
【図１３Ａ】本発明の一実施形態に係る「コンテンツを切り替えるための情報」の一例を示す図である。
【図１３Ｂ】同様に、「コンテンツを切り替えるための情報」の上記例を示すための図である。
【図１３Ｃ】同様に、「コンテンツを切り替えるための情報」の上記例を示すための図である。
【発明を実施するための形態】
【００１３】
［第１実施形態］
以下、図面を参照して本発明の一実施形態について説明する。図１は、本発明の一実施形態に係る情報処理システムの概要を示す図である。
本実施形態は、本発明に係る情報処理装置として携帯端末１を適用した場合を例示したものである。図１は、この携帯端末１が利用可能な通信ネットワークシステムを示した概略図である。
しかし、本発明はこれに限られず、情報処理装置は、スマートフォン、携帯ゲーム機、ＰＤＡ（Ｐｅｒｓｏｎａｌ Ｄｉｇｉｔａｌ Ａｓｓｉｓｔａｎｔ）、タブレット型ＰＣ（Ｐｅｒｓｏｎａｌ Ｃｏｍｐｕｔｅｒ）、あるいは、ノート型ＰＣ等であってもよい。
携帯端末１には、例えば、通話機能、電子メール機能、インターネット接続機能（Ｗｅｂアクセス機能）、デジタルテレビ放送（例えば、ワンセグ地上デジタルテレビ放送）を受信して視聴が可能なテレビ機能や、録画機能などが備えられている。録画機能は、テレビ放送などで受信したコンテンツを録画（録音を含む、以下、同様）する機能であって、録画に限らず、録音を行うコンテンツ記録機能も含む。
【００１４】
携帯端末１は、最寄りの基地局２Ａと交換機２Ｂとを介して、無線通信網（移動体通信網）２に接続されると、この無線通信網２を介して他の携帯端末１´との間で通話可能な状態となる。
また、携帯端末１は、無線通信網２を介してインターネット３に接続されると、Ｗｅｂサイトにアクセスして閲覧可能である。
さらに、携帯端末１は、動画、静止画、音楽、ニュース、音楽などのマルチメディアのコンテンツデータを、インターネット３、無線通信網２を介して、サーバ４からダウンロードしながら同時に再生するストリーミングも可能である。
【００１５】
また、携帯端末１は、テレビ局５から送信アンテナ６を介して発信された地上波デジタル放送のコンテンツデータを受信する。なお、携帯端末１は、インターネットラジオのように、無線通信網２とインターネット３を介してサーバ４からデジタル放送をダウンロード受信したりすることもできる。
このように携帯端末１は、テレビ機能などを介して放送されるコンテンツデータを受信したり、インターネット接続機能を介してストリーミング用コンテンツデータをダウンロード受信したりすることができるようになっている。
その他に、着脱自在な可搬型メモリカードなどの記録メディア７から各種コンテンツを取得したり、Bluetooth（登録商標）通信、赤外線通信などの近距離通信を介して他の携帯端末１´などの外部機器８から各種のコンテンツデータを取得したりすることができるようになっている。
【００１６】
図２は、携帯端末１の基本的な構成要素を示したブロック図である。
携帯端末１は、タッチパネル１０１と、制御部１０２と、記憶部１０３と、アンテナ１０４と、テレビ放送受信部１０５と、通信部１０６と、タイマー１０７と、スピーカーＳＫとを備える。
【００１７】
タッチパネル１０１は、操作部１１１と表示部１１２とを含む。
操作部１１１は、ユーザからの操作を受け付けるセンサーを備え、センサーによる検出結果を制御部１０２に出力する。本実施形態において、操作部１１１は、操作画面に接触するユーザの指の接触位置を、一定の時間間隔ごとにセンサーにより検出し、このセンサーの検出結果を出力する。
なお、本発明はこれに限られず、例えば、操作画面に近接するユーザの指や操作指示手段等の位置を非接触センサーにより検出するものであってもよい。
表示部１１２は、制御部１０２の制御に応じた表示内容を表示する。本実施形態において、表示部１１２は、タッチパネル１０１として操作部１１１とともに一体的に設けられており、操作部１１１が操作を受け付ける際の操作画面を表示する。なお、この表示部１１２は、本発明における出力部を構成する。
【００１８】
制御部１０２は、記憶部１０３に格納されている各種情報を読み出し、携帯端末１を統括的に制御する。この制御部１０２は、操作内容判定部１２１と、出力制御部１２２と、放送データ制御部１２３と、音信号処理部１２４と、登録部１２５と、投稿部１２６と、評価値算出部１２７と、判定部１２８とを備える。
【００１９】
操作内容判定部１２１は、操作部１１１からの出力に基づき、操作部１１１が受け付けた操作内容を判定する。例えば、操作内容判定部１２１は、操作部１１１の検出結果が示すユーザの指の接触位置および接触時間から、ユーザの指の動きを判定する。また、操作内容判定部１２１は、判定したユーザの指の動きと、当該操作を受け付けた際に表示部１１２に表示されている画像との位置関係に基づき、判定したユーザの指の動きが示す操作内容を判定する。
例えば、操作内容判定部１２１は、表示画面のアイコン部分やテキスト部分にユーザの指が接触する操作を操作部１１１が検出した場合、その操作がタッチ操作であると判定する。また、操作内容判定部１２１は、タッチ操作によりアイコン部分や所定の操作領域が指示されている状態のまま、指が移動する操作を操作部１１１が検出した場合、その操作がスライド操作であると判定する。
また、操作内容判定部１２１は、タイマー１０７によって計時される時間情報に基づき、操作部１１１が受け付けた操作内容を判定する。
【００２０】
さらに、操作内容判定部１２１は、判定結果に基づき、操作内容に応じた表示内容を表示するよう出力制御部１２２に指示するものであってもよい。
例えば、操作内容がタッチ操作であると判定した場合、操作内容判定部１２１は、ユーザの指が接触した位置を示すアイコン画像を操作画面に重畳して表示するよう出力制御部１２２を制御する。本実施形態において、操作内容判定部１２１は、指が接触した部分に接触位置を示す指アイコンを表示するものであってもよい。
【００２１】
出力制御部１２２は、操作内容判定部１２１による判定結果が示す操作内容に基づき、表示部１１２に画像を表示させる制御や、スピーカーＳＫから音を出力させる制御を実行する。本実施形態において、出力制御部１２２は、コンテンツデータに基づきコンテンツを表示部１１２のコンテンツ画面に表示させるコンテンツ画面表示処理と、ＷＥＢ上に投稿される投稿情報に関連する情報を表示部１１２の投稿画面に表示させる投稿画面表示処理とを実行する。
投稿される投稿情報に関連する情報とは、投稿情報そのものや、コンテンツが放送された時間帯に投稿された投稿情報の投稿結果を示す投稿結果情報、および、コンテンツが放送された時間帯に投稿された投稿情報の投稿状況を示す解析結果情報とを含む。
【００２２】
なお、出力制御部１２２は、ユーザによって指定された設定に応じて、コンテンツ表示画面と投稿画面とを、一画面に並べて表示させる同時表示モードと、いずれか一方の画面を表示部１１２の画面全体に表示させる単独表示モードとを切り替えることができる。具体的に説明すると、ユーザによって、同時表示モードあるいは単独表示モードのいずれかの設定が指定された場合、出力制御部１２２は、指定されたモードに従って、表示部１１２に表示させる画面を切り替える。
また、操作部１１１に対して録画したコンテンツを出力する操作が入力された場合、出力制御部１２２は、指定されたコンテンツデータを記憶部１０３から読み出し、読み出したコンテンツデータに基づく画像を表示部１１２に表示し、あるいは、コンテンツデータに基づく音をスピーカーＳＫから出力させるよう制御する。
【００２３】
放送データ制御部１２３は、受信したコンテンツデータをリアルタイムで表示することが設定されている場合（リアルタイムモード）、テレビ放送受信部１０５から入力するデジタル変調されたコンテンツデータに基づき、コンテンツデータを表示部１１２に表示するよう、出力制御部１２２を制御する。
また、受信したコンテンツデータを記憶部１０３に格納してその後表示することが設定されている場合（録画モード）、放送データ制御部１２３は、テレビ放送受信部１０５から入力するデジタル変調されたコンテンツデータを記憶部１０３に格納するように制御する。
音信号処理部１２４は、出力制御部１２２によって復調された受信ベースバンド信号が入力されると、当該受信ベースバンド信号に基づき、スピーカーＳＰから音を出力させる。
登録部１２５は、通信部１０６を介して受信した情報や放送データ制御部１２３から入力するコンテンツデータを記憶部１０３に格納する。
投稿部１２６は、投稿情報をＷＥＢ上に投稿する。
【００２４】
評価値算出部１２７は、サーバ４から受信する投稿情報に基づき、コンテンツに対応付けてＷＥＢ上に投稿される投稿情報の投稿状況を評価する評価値を算出する。なお、評価値算出部１２７は、現時点において表示部１１２に表示されているコンテンツ（以下、メインコンテンツという）についての評価値と、現時点において表示部１１２に表示されていないコンテンツ（以下、サブコンテンツ（または裏番組）という）についての評価値とを、算出することができる。
この評価値算出部１２７は、一定時間間隔ごとに、メインコンテンツの評価値を算出する。一方、ユーザによって設定されたユーザ設定において、サブコンテンツの評価値を算出することが決められている場合、評価値算出部１２７は、サブコンテンツの評価値を算出する。
【００２５】
判定部１２８は、評価値算出部１２７が算出した評価値に基づき、メインコンテンツをサブコンテンツに切り替える切替条件が満たされているか否かを判定する。
なお、切替条件としては、種々の条件が設定可能である。
例えば、メインコンテンツの評価値が予め決められた閾値ｔｈ１未満である場合、切替条件を満たすものであってもよい（以下、評価値条件１という）。
また、メインコンテンツの評価値が予め決められた閾値ｔｈ１未満であって、サブコンテンツの評価値が閾値ｔｈ１以上である場合、切替条件を満たすものであってもよい（以下、評価値条件２という）。
さらに、メインコンテンツの評価値が、サブコンテンツの評価値よりも小さい場合、切替条件を満たすものであってもよい（以下、評価値条件３という）。
さらにまた、評価値条件１〜３のうち少なくともいずれか１つを満たす期間が、予め決められた設定時間よりも長い場合に、切替条件を満たすものであってもよい（以下、評価値条件４という）。
また、メインコンテンツの本編に挿入されたコマーシャルの時間帯において、評価値条件１〜４のうち少なくともいずれか１つを満たす場合、切替条件を満たすものであってもよい（以下、評価値条件５という）。
【００２６】
記憶部１０３は、携帯端末１の処理に用いる種々の情報を記憶する。この記憶部１０３は、例えば、プログラム記憶領域１３１と、一時記憶領域１３２と、コンテンツ記憶領域１３３と、投稿情報記憶領域１３４を含む。
なお、記憶部１０３は、例えば、ＳＤカード、ＩＣカードなど、着脱自在な可搬型メモリ（記録メディア）を含む構成であってもよく、図示しない所定の外部サーバ上にあってもよい。
【００２７】
プログラム記憶領域１３１は、ユーザから入力される操作に応じて本実施形態を実現するためのプログラムや各種のアプリケーションなどを記憶する記憶領域である。
一時記憶領域１３２は、携帯端末１が動作するために必要な各種の情報を一時的に記憶するワーク領域である。
コンテンツ記憶領域１３３は、コンテンツデータを記憶する記憶領域であって、例えば、テレビ放送受信部１０５が受信したテレビ放送のコンテンツデータを記憶する記憶領域である。このコンテンツ記憶領域１３３には、例えば、録画が設定されていた番組のコンテンツデータや、ネットワーク上のサーバからダウンロードされたコンテンツデータ等が格納されている。
なお、このコンテンツ記憶領域１３３には、コンテンツデータとともに受信したコンテンＩＤと、コンテンツの属性を示すコンテンツ関連情報とが記憶されている。コンテンツＩＤとは、各コンテンツに割り当てられた固有の識別情報である。コンテンツ関連情報には、例えば、当該コンテンツである番組を放送しているテレビ局の名前や、テレビ番組内容を示す情報（出演者名、ジャンル名等）が含まれる。
投稿情報記憶領域１３４は、ＷＥＢ上に投稿される投稿情報等の投稿に関する情報を格納する記憶領域である。この投稿情報記憶領域１３４には、サーバ４から受信する情報に基づき、コンテンツ内の再生位置と、コンテンツが放送されているときに投稿された投稿情報の投稿タイミングとを対応付けた情報が記録される。
【００２８】
アンテナ１０４は、テレビ放送用に決められた周波数の電波を受信し、受信した電波のアナログ信号をテレビ放送受信部１０５に出力する。
テレビ放送受信部１０５は、アンテナ１０４を介してテレビ機能を構成するもので、携帯端末向けのワンセグ地上波デジタルテレビ放送のコンテンツデータのほか、コンテンツの内容に関連する情報（コンテンツ関連情報）や電子番組表（ＥＰＧ（Electronic Program Guide）情報）などの番組情報も含めて受信する。
このテレビ放送受信部１０５は、テレビ用のアンテナ１０４によって受信したテレビ放送データの中から予め選局されているチャンネルの放送データを抽出するアナログ回路部と、放送データに対してデジタル変調するデジタル回路部とを備える。
このデジタル回路部は、例えば、受信した放送データをＯＦＤＭ（直交周波数分割多重）復調したり、多重化されている放送データから映像、音声、データ（文字データ）を分離して復号化したり、圧縮データの解凍などを行う。
【００２９】
通信部１０６は、基地局２Ａと交換機２Ｂとを介して、無線通信網２やインターネット３と接続される。この通信部１０６は、例えば、インターネット３を介して、サーバ４から送信される投稿情報等を受信する。
タイマー１０７は、現在の日時（日にちと時刻）を計時し、計時した日時情報を出力する。
【００３０】
次に、図３を参照して、タッチパネル１０１の表示部１１２に表示される画面の一例について説明する。図３は、コンテンツ表示画面を表示するコンテンツ表示領域１０１０と投稿画面を表示する投稿情報表示領域１０２０を同時に表示する画面の一例を示す図である。
図３に示す通り、例えば、表示部１１２の画面全体を半分に分割して、一方（コンテンツ表示領域１０１０）には、コンテンツ表示画面を表示し、他方（投稿情報表示領域１０２０）には、投稿画面を表示する。
この図３に示す例では、野球中継の番組をコンテンツ表示領域１０１０に表示するとともに、この野球中継に関連する投稿情報を投稿情報表示領域１０２０に表示する。ここでは、ツイッター（登録商標）が提供するサービス内容を投稿情報表示領域１０２０に表示する例を示す。
図示の通り、投稿情報表示領域１０２０には、複数の投稿情報が並んで表示されている。この投稿情報は、投稿時間に応じて時系列に並べて表示されている。
【００３１】
この投稿情報表示領域１０２０には、投稿情報を入力する入力欄１０２１と、投稿ボタン１０２２が表示されている。この入力欄１０２１と投稿ボタン１０２２は、タッチ操作やスライド操作を受け付ける操作画面領域である。
入力欄１０２１がタッチ操作により指定されると、操作内容判定部１２１は、投稿情報の入力開始を指示する操作を受け付けたことを判定する。また、投稿ボタン１０２２がタッチ操作により指定されると、操作内容判定部１２１は、入力欄に入力された投稿情報をツイッター（登録商標）上に投稿する操作を受け付けたことを判定する。
【００３２】
次に、図４を参照して、サーバ４について説明する。図４は、サーバ４の構成の一例を示す図である。
図４に示す通り、サーバ４は、操作部４０１と、通信部４０２と、記憶部４０３と、制御部４０４と、計時部４０５と、表示部４０６とを備える。
操作部４０１は、サーバ４の管理者からの操作を受け付け、受け付けた操作を示す操作信号を出力する。
通信部４０２は、インターネット３と無線通信網２とを介して携帯端末１と情報の送受信を行う。
【００３３】
記憶部４０３は、コンテンツ放送情報テーブル４３１と、ユーザ属性情報テーブル４３２と、投稿情報テーブル４３３とを備える。
【００３４】
図５は、コンテンツ放送情報テーブル４３１の一例を示す図である。
コンテンツ放送情報テーブル４３１は、コンテンツＩＤを示す情報と、放送時間帯を示す情報と、コンテンツ関連情報とをそれぞれ対応付けて格納するテーブルである。
このコンテンツとしては、デジタル放送されるテレビ番組の映像と音声や、ラジオや音楽等の配信される音声などがある。本実施形態においては、コンテンツが、デジタル放送されるテレビ番組の映像と音声である場合について、以下説明する。
放送時間帯とは、コンテンツが放送あるいは配信される時間として予め決められている時間帯をいう。コンテンツ関連情報とは、コンテンツに関連する情報として予め決められている情報をいう。
コンテンツがテレビ番組の映像と音声である場合、コンテンツ関連情報には、番組名や、放送局名、出演者名、番組のジャンル名、その他、番組内容に関する情報等が含まれる。なお、このコンテンツ関連情報は、当該テレビ番組を放送する放送局や製作局等によって予め決められる情報であってもよく、サーバ４の管理者によって決定されるものであってもよい。
【００３５】
図６は、ユーザ属性情報テーブル４３２の一例を示す図である。
ユーザ属性情報テーブル４３２は、投稿者ＩＤを示す情報と、投稿者の性別、年齢、および好きなジャンルを示す情報とをそれぞれ対応づけて格納するテーブルである。
本実施形態において、投稿者ＩＤは、投稿情報を送信する携帯端末１ごとに割り当てられている固有の端末ＩＤである。この投稿者ＩＤのユーザは、例えば、投稿サービスに登録する際に、投稿者の性別や年齢等の属性情報を登録している。この登録情報を投稿者ＩＤに対応付けたテーブルである。
【００３６】
図７は、投稿情報テーブル４３３の一例を示す図である。
投稿情報テーブル４３３は、投稿者ＩＤを示す情報と、投稿タイミング（投稿時間）を示す情報、投稿情報、投稿情報に関連するコンテンツのコンテンツＩＤを示す情報とを、それぞれ対応づけて格納するテーブルである。
投稿者ＩＤは、投稿者を特定するための固有の識別情報である。本実施形態において、投稿者ＩＤは、投稿情報を送信する携帯端末１ごとに割り当てられている固有の端末ＩＤである。
投稿タイミングとは、携帯端末１から投稿情報を受信した日時である。
投稿情報とは、携帯端末１からサーバ４に送信される投稿内容を示す情報である。
このように、記憶部４０３には、コンテンツＩＤを用いることにより、コンテンツ放送情報テーブル４３１に格納されているコンテンツの放送時間帯（コンテンツ内の再生位置）と、投稿情報テーブル４３３に格納されている投稿時間（コンテンツが放送されているときに投稿された投稿情報の投稿タイミング）とをそれぞれ対応付けた投稿対応関係情報を格納する。
【００３７】
制御部４０４は、登録部４４１と、評価値算出部４４２と、判定部４４３と、検索部４４４と、出力制御部４４５とを備える。
【００３８】
登録部４４１は、携帯端末１から受信した投稿情報を記憶部４０３の投稿情報テーブル４３３に登録する。
具体的に説明すると、登録部４４１は、通信部４０２を介して携帯端末１から投稿情報を受信した場合、サーバ４が投稿情報を受信したときに計時部４０５から出力される日時情報を、投稿情報が投稿された投稿タイミングを示す投稿時間として取得する。また、登録部４４１は、受信した投稿情報に対応づけられている携帯端末１の端末ＩＤを、投稿者ＩＤとして取得する。
この登録部４４１は、受信した投稿情報と、この投稿情報から取得した投稿時間および投稿者ＩＤとを、それぞれ対応づけて投稿情報テーブル４３３に書き込む。
【００３９】
評価値算出部４４２は、記憶部４０３に記憶されている投稿情報に基づき、コンテンツに対応付けてＷＥＢ上に投稿される投稿情報の投稿状況を評価する評価値を算出する。なお、この評価値算出部４４２は、評価値算出部１２７と同様の機能を有する機能部であるため、詳細な説明はここでは省略する。
判定部４４３は、評価値算出部４４２が算出した評価値に基づき、メインコンテンツをサブコンテンツに切り替える切替条件が満たされているか否かを判定する。なお、この判定部４４３は、判定部１２８と同様の機能を有する機能部であるため、詳細な説明はここでは省略する。
検索部４４４は、記憶部４０３に記憶されている投稿情報を参照して、指定されたコンテンツＩＤや指定された放送時間帯に対応する情報を検索する。
【００４０】
次に、図８を参照して、本実施形態に係る投稿情報の登録方法の一例について説明する。図８は、本実施形態係る投稿情報の登録方法の一例を説明するためのフローチャートである。なお、この図８においては、携帯端末１における処理フローと、サーバ４における処理フローとを並列に説明する。
【００４１】
（ステップＳＴ１）
例えば、ユーザからタッチパネル１０１を介して、放送されているテレビ番組のコンテンツを表示部１１２に表示させることを示す操作が入力された場合、出力制御部１２２は、受信した放送電波がデジタル信号に変換された情報に基づき、放送されているコンテンツを表示部１１２に出力させる。
なお、放送されているコンテンツに音声が含まれており、携帯端末１が音声を出力可能なモードに設定されている場合（例えば、消音モード等に設定されていない場合）、出力制御部１２２は、コンテンツに含まれる音声をスピーカーＳＫから出力させる。
【００４２】
（ステップＳＴ２）
携帯端末１の制御部１０２は、操作部１１１を介して、投稿情報の投稿が指示されたか否かを判定する。
（ステップＳＴ３）
ここで、ユーザからタッチパネル１０１を介して、投稿情報が投稿されたとする。具体的に説明すると、タッチパネル１０１の表示部１１２に表示されている入力欄１０２１が指定され、投稿情報が入力された後に、投稿ボタン１０２２がタッチされたとする。これにより、操作内容判定部１２１が、入力欄１０２１に入力された投稿情報の投稿が指示されたと判定し、判定結果を示す操作信号を出力制御部１２２に出力する。
（ステップＳＴ４）
そして、出力制御部１２２は、投稿情報を受け付けたときに、表示部１１２に表示しているコンテンツのコンテンツＩＤを、投稿情報に対応付けて、投稿部１２６に出力する。
投稿部１２６は、通信部１０６を介してサーバ４に情報を送信する。つまり、投稿部１２６は、投稿情報に表示しているコンテンツのコンテンツＩＤを対応付けた情報を投稿する。
例えば、ユーザが、「ＣＨ１  Ａ番組」の放送中のコンテンツを見ている場合、出力制御部１２２は、この番組を示すコンテンツＩＤ「０００１」と、投稿情報と、携帯端末１を示す端末ＩＤを示す情報とをそれぞれ対応付けた情報を作成し、投稿部１２６に出力する。投稿部１２６は、受け取った情報を通信部１０６を介してサーバ４に送信する。
【００４３】
（ステップＳＴ５）
一方、サーバ４は、投稿情報を受信したか否かを判定する。
（ステップＳＴ６）
そして、サーバ４の通信部４０２が投稿情報を受信した場合、制御部４０４の登録部４４１は、計時部４０５によって計時された現在の時刻を示す情報を、投稿情報を投稿した投稿タイミングを示す情報として取得する。
この登録部４４１は、例えば、投稿タイミングとして、投稿日時「２０１１．１０．１０．１９：０３」を示す情報を取得する。
（ステップＳＴ７）
次いで、登録部４４１は、投稿タイミングを示す情報と、携帯端末１から受信した情報とをそれぞれ対応付けて投稿情報テーブル４３３に書き込む。
具体的に説明すると、登録部４４１は、携帯端末１を示す端末ＩＤを示す情報「１１１１１」を、投稿情報テーブル４３３の投稿者ＩＤの欄に書き込む。
また、登録部４４１は、取得した投稿タイミングを示す情報を「２０１１．１０．１０．１９：０３」を、投稿情報テーブル４３３の投稿時間の欄に書き込む。
さらに、登録部４４１は、投稿情報を、投稿情報テーブル４３３の投稿情報の欄に書き込む。
また、登録部４４１は、番組を示すコンテンツＩＤ「０００１」を、投稿情報テーブル４３３のコンテンツＩＤの欄に書き込む。
これにより、記憶部４０３においては、事前に用意されているコンテンツ放送情報テーブル４３１に格納されているコンテンツの放送時間帯（コンテンツ内の再生位置）と、投稿情報テーブル４３３に格納されている投稿時間（コンテンツが放送されているときに投稿された投稿情報の投稿タイミング）とが、コンテンツＩＤにより対応付けられ、投稿対応関係情報が記憶部４０３に格納される。
【００４４】
次に、図９を参照して、本実施形態に係る表示方法の一例について説明する。図９は、本実施形態係る表示方法の一例を説明するためのフローチャートである。なお、この図９においては、携帯端末１における処理フローの一例について説明するが、同様の構成によって、サーバ４の表示部４０６においても対応する表示が実現可能である。
（ステップＳＴ１１）
携帯端末１の評価値算出部１２７は、メインコンテンツの評価値を算出する。
具体的に説明すると、携帯端末１は、現時点において放送されているテレビ番組のコンテンツを表示部１１２に表示している。ここで、メインコンテンツの評価値を算出するタイミングとして予め決められている単位時間（例えば、数秒）が経過した場合、携帯端末１の通信部１０６は、表示部１１２に表示されているメインコンテンツのコンテンツＩＤ「０００１」を含むメインコンテンツ投稿情報要求信号をサーバ４に送信する。このメインコンテンツ投稿情報要求信号とは、メインコンテンツに関連付けて投稿された投稿情報の送信を要求することを示す信号である。
サーバ４は、このコンテンツＩＤ「０００１」を含むメインコンテンツ投稿情報要求信号を受信して、現時点から単位時間（例えば、数秒）前までに投稿された投稿情報のうち、コンテンツＩＤ「０００１」が示すコンテンツに関連づけられて投稿された投稿情報を、検索部４４４が記憶部４０３の投稿情報テーブル４３３から読み出す。この読み出した投稿情報を、サーバ４の通信部４０２が携帯端末１に送信する。
そして、携帯端末１の通信部１０６がサーバ４から投稿情報を受信し、登録部１２５が記憶部１０３の投稿情報記憶領域１３４に書き込む。評価値算出部１２７は、投稿情報記憶領域１３４から投稿情報を読み出し、メインコンテンツの評価値を算出する。
この評価値算出部１２７は、例えば、単位時間当たりの投稿数の相対値を評価値として算出するものであってもよい。
また、評価値算出部１２７は、投稿情報に予め決められているポジティブ用語を抽出し、単位時間当たりのポジティブ用語の数の相対値を評価値として算出するものであってもよい。このポジティブ用語とは、投稿状況が盛り上がっていることを示す用語として予め登録される用語であって、例えば、「いいね」や「ｗ」あるいは顔文字（例：（＾o＾））等がある。
なお、評価値算出部１２７は、算出した評価値を、投稿情報の投稿時間に対応づけて、一時記憶領域１３２に記憶しておく。
【００４５】
（ステップＳＴ１２）
次いで、評価値算出部１２７は、サブコンテンツの評価値を算出するか否かを判定する。具体的には、サブコンテンツの評価値の算出が必要なユーザ設定となっているか否かを判定する。
（ステップＳＴ１３）
サブコンテンツの評価値の算出が必要なユーザ設定がなされている場合、評価値算出部１２７は、サブコンテンツの評価値を算出する。
例えば、設定されている切替条件が、メインコンテンツの評価値とサブコンテンツの評価値とを比較したり、サブコンテンツの評価値と閾値とを比較したりする条件である場合、評価値算出部１２７は、サブコンテンツの評価値を算出する。
具体的に説明すると、携帯端末１の通信部１０６は、表示部１１２に表示されているメインコンテンツのコンテンツＩＤ「０００１」を含むサブコンテンツ投稿情報要求信号をサーバ４に送信する。このサブコンテンツ投稿情報要求信号とは、現時点において放送されているコンテンツのうち、メインコンテンツ以外のサブコンテンツに関連付けて投稿された投稿情報の送信を要求することを示す信号である。
サーバ４は、このコンテンツＩＤ「０００１」を含むサブコンテンツ投稿情報要求信号を受信して、現時点から単位時間（例えば、数秒）前までに投稿された投稿情報のうち、コンテンツＩＤ「０００１」以外のサブコンテンツのコンテンツＩＤ「０００２」、「０００３」、「０００４」、「０００５」・・・等が示すコンテンツに関連づけられて投稿された投稿情報を、検索部４４４が記憶部４０３の投稿情報テーブル４３３から読み出す。この読み出した投稿情報を、サーバ４の通信部４０２が携帯端末１に送信する。
そして、携帯端末１の通信部１０６がサーバ４から投稿情報を受信し、登録部１２５が記憶部１０３の投稿情報記憶領域１３４に書き込む。
評価値算出部１２７は、投稿情報記憶領域１３４から投稿情報を読み出し、サブコンテンツの評価値を算出する。なお、サブコンテンツが複数ある場合、評価値算出部１２７は、サブコンテンツのそれぞれについて評価値を算出する。
また、評価値算出部１２７は、算出した評価値を、投稿情報の投稿時間に対応づけて、一時記憶領域１３２に記憶しておく。
【００４６】
（ステップＳＴ１４）
次いで、判定部１２８は、評価値算出部１２７が算出した評価値に基づき、メインコンテンツをサブコンテンツに切り替える切替条件が満たされているか否かを判定する。そして、判定部１２８は、判定結果を示す情報を出力制御部１２２に出力する。
例えば、上述の評価値条件１が設定されている場合、判定部１２８は、記憶部１０３の一時記憶部１３２を参照して、メインコンテンツの評価値が予め決められた閾値ｔｈ１未満であるか否かを判定する。そして、メインコンテンツの評価値が予め決められた閾値ｔｈ１未満である場合、判定部１２８は、切替条件が満たされていると判定する。
【００４７】
また、上述の評価値条件２が設定されている場合、判定部１２８は、記憶部１０３の一時記憶部１３２を参照して、メインコンテンツの評価値が予め決められた閾値ｔｈ１未満であって、かつ、サブコンテンツの評価値が閾値ｔｈ１以上であるか否かを判定する。メインコンテンツの評価値が予め決められた閾値ｔｈ１未満であって、かつ、評価値が閾値ｔｈ１以上であるサブコンテンツがある場合、判定部１２８は、切替条件が満たされていると判定する。
【００４８】
さらに、上述の評価値条件３が設定されている場合、判定部１２８は、記憶部１０３の一時記憶部１３２を参照して、メインコンテンツの評価値がサブコンテンツの評価値よりも小さいか否かを判定する。なお、サブコンテンツが複数個ある場合、判定部１２８は、サブコンテンツの評価値のうち最大値が、メインコンテンツの評価値よりも大きいか否かを判定する。
メインコンテンツの評価値がサブコンテンツの評価値よりも小さい場合、判定部１２８は、切替条件が満たされていると判定する。
【００４９】
さらにまた、上述の評価値条件４が設定されている場合、判定部１２８は、記憶部１０３の一時記憶部１３２を参照して、上記評価値条件１〜３のうち少なくともいずれか１つを満たす期間が、予め決められた設定時間よりも長いか否かを判定する。すなわち、判定部１２８は、メインコンテンツをサブコンテンツに切り替える必要性が高い状態が一定時間以上継続しているか否かを判定する。
評価値条件１〜３のうち少なくともいずれか１つを満たす期間が、予め決められた設定時間よりも長い場合、判定部１２８は、切替条件が満たされていると判定する。
【００５０】
また、上述の評価値条件５が設定されている場合、判定部１２８は、記憶部１０３の一時記憶部１３２を参照して、メインコンテンツの本編に挿入されたコマーシャルの時間帯において、評価値条件１〜４のうち少なくともいずれか１つを満たすか否かを判定する。メインコンテンツの本編に挿入されたコマーシャルの時間帯において、評価値条件１〜４のうち少なくともいずれか１つを満たす場合、判定部１２８は、切替条件が満たされていると判定する。
すなわち、判定部１２８は、評価値条件１〜４のうち少なくともいずれか１つを満たす場合であっても、満たすと判定したときがメインコンテンツの本編の時間帯であった場合、切替条件が満たされていないと判定する。
【００５１】
（ステップＳＴ１５）
出力制御部１２２は、判定部１２８から入力する判定結果を示す情報が、切替条件が満たされている判定結果を示す情報である場合、表示部１１２に表示するコンテンツを切り替えるための情報を表示部１１２に表示させる。
例えば、出力制御部１２２は、メインコンテンツを切り替えることを推奨するメッセージや、切り替える操作を入力するためのＵＩ（Ｕｓｅｒ Ｉｎｔｅｒｆａｃｅ）を表示部１１２に表示させる。
また、出力制御部１２２は、メインコンテンツをサブコンテンツに切り替えるための情報を表示部１１２に表示させるものであってもよい。
例えば、出力制御部１２２は、切替可能なサブコンテンツの種類を示す情報や、指定されたサブコンテンツに切り替えるためのＧＵＩ（Ｇｒａｐｈｉｃａｌ Ｕｓｅｒ Ｉｎｔｅｒｆａｃｅ）を表示部１１２に表示させる。
【００５２】
（ステップＳＴ１６）
そして、操作内容判定部１２１は、表示部１１２に表示するコンテンツをサブコンテンツに切り替える操作指示が操作部１１１に入力されたか否かを判定する。
（ステップＳＴ１７）
表示部１１２に表示するコンテンツをサブコンテンツに切り替える操作指示が操作部１１１に入力された場合、出力制御部１２２は、表示部１１２に表示するコンテンツを指定されたサブコンテンツに切り替える。
なお、出力制御部１２２は、特に切替対象であるサブコンテンツが指定されていない場合、複数のサブコンテンツのうち、評価値が最大となる（即ち、最も高い評価の）サブコンテンツに切り替えるものであってもよい。
（ステップＳＴ１８）
一方、表示部１１２に表示するコンテンツをサブコンテンツに切り替える操作指示が、一定時間以上操作部１１１に入力されない場合、あるいは、切り替える操作を行わないという指示が入力された場合、制御部１０２は処理を終了する。
なお、制御部１０２は、メインコンテンツの評価値を算出するタイミングに到達するたびに、ステップＳＴ１１からの処理を開始する。
【００５３】
次に、図１０を参照して、本実施形態に係る表示方法の一例について説明する。図１０は、本実施形態係る表示方法の一例を説明するためのフローチャートである。なお、この図１０においては、携帯端末１における処理フローの一例について説明するが、同様の構成によって、サーバ４においても対応する表示が実現可能である。
また、図９において説明した処理と同様の処理内容については、同一のステップ番号を付して、詳細な説明は省略する。即ち、図９のステップＳＴ１１〜Ｓ１４までが、本例においても実行される。
（ステップＳＴ２１）
出力制御部１２２は、判定部１２８から入力する判定結果を示す情報が、切替条件が満たされている判定結果を示す情報である場合、表示部１１２に表示するコンテンツを選択されたサブコンテンツに切り替える。
ここで、判定部１２８は、切替条件が満たされていると判定した場合、切り替えるサブコンテンツとして最も適切なサブコンテンツを選択する。例えば、判定部１２８は、複数のサブコンテンツのうち評価値が最大となる（即ち、最も高い評価の）サブコンテンツを、最も適切なサブコンテンツとして選択するものであってもよい。
また、判定部１２８は、携帯端末１にユーザの属性情報が登録されている場合、各コンテンツに関連付けて投稿情報を投稿した投稿者の属性特性がメインコンテンツと同一または類似するサブコンテンツを、最も適切なサブコンテンツとして選択するものであってもよい。この場合、評価値算出部１２７は、評価値を算出する際に、投稿情報に関連づけられた投稿者の属性情報をサーバ４から取得しておき、この属性情報毎に投稿情報の投稿状況を評価する評価値を算出することができる。
このようにして、切替条件を満たしていた場合、自動的に、表示部１１２に表示するコンテンツを選択されたサブコンテンツに切り替えることで、ユーザの操作を省くことができる。
【００５４】
次に、図１１Ａ、１１Ｂを参照して、携帯端末１の表示部１１２に表示される「コンテンツを切り替えるための情報」の一例について説明する。図１１Ａ、１１Ｂは、本実施形態に係る「コンテンツを切り替えるための情報」の一例を示すための図である。
図１１Ａに示す通り、表示部１１２は、コンテンツ表示領域１０１０にメインコンテンツ「ＣＨ１  Ａ番組」を表示し、投稿情報表示領域１０２０にメインコンテンツ「ＣＨ１  Ａ番組」に関連付けて投稿された投稿情報が表示されている。なお、投稿情報表示領域１０２０には、現在の時点から、３分前、６分前、８分前、９分前に投稿された４つの投稿情報が、時系列に並べて表示されている。
ここで、判定部１２８（あるいは判定部４４３）によって、切替条件を満たしていると判定された場合、表示部１１２は、図１１Ｂに示す通り、コンテンツ表示領域１０１０の下に「コンテンツを切り替えるための情報」を表示するための切替メッセージ表示領域１０３０を表示する。この切替メッセージ表示領域１０３０には、コンテンツの切り替えを推奨するようなメッセージ、例えば「チャンネル切替をおすすめします」と表示される。
このように、コンテンツの切り替えを推奨するようなメッセージが表示されることにより、ユーザは、他のチャンネルへの切替タイミングを知ることができる。
【００５５】
次に、図１２Ａ〜１２Ｃを参照して、携帯端末１の表示部１１２に表示される「コンテンツを切り替えるための情報」の一例について説明する。図１２Ａ〜１２Ｃは、本実施形態に係る「コンテンツを切り替えるための情報」の一例を示すための図である。
図１２Ａに示す通り、表示部１１２は、コンテンツ表示領域１０１０にメインコンテンツ「ＣＨ１  Ａ番組」を表示し、投稿情報表示領域１０２０にメインコンテンツ「ＣＨ１  Ａ番組」に関連付けて投稿された投稿情報が表示されている。なお、投稿情報表示領域１０２０には、現在の時点から、３分前、６分前、８分前、９分前に投稿された４つの投稿情報が、時系列に並べて表示されている。
ここで、判定部１２８（あるいは判定部４４３）によって、切替条件を満たしていると判定された場合、表示部１１２は、図１２Ｂに示す通り、コンテンツ表示領域１０１０の下に「コンテンツを切り替えるための情報」を表示するための切替メッセージ表示領域１０３０を表示するとともに、投稿情報表示領域１０２０の下に「メインコンテンツをサブコンテンツに切り替えるための情報」を表示するための切替操作表示領域１０４０を表示する。
この切替操作表示領域１０４０には、コンテンツを指定して、コンテンツの切り替えを指示するための操作表示部（ＧＵＩ）を含む画面が表示される。例えば、ＣＨ１〜１２までの操作表示部（ＧＵＩ）を含む画面が表示される。
【００５６】
そして、切替操作表示領域１０４０に表示された操作表示部（ＧＵＩ）がタッチされ、あるいはコンテンツ表示領域１０１０までドラッグされた場合、操作内容判定部１２１は、指定されたサブコンテンツへの切り替えを指示する操作が入力されたと判定する。ここでは、ユーザが、ＣＨ５の操作表示部（ＧＵＩ）をタッチしたまま、コンテンツ表示領域１０１０までドラッグしたとする。
これにより、出力制御部１２２は、図１２Ｃに示す通り、コンテンツ表示領域１０１０に表示するコンテンツを「ＣＨ１  Ａ番組」から「ＣＨ５  Ｅ番組」に切り替える。つまり、メインコンテンツをサブコンテンツに切り替える。
このように、サブコンテンツに切り替えるための情報（ＧＵＩ等）が表示されることにより、ユーザは、他のチャンネルへの切替を容易に行うことができる。
【００５７】
次に、図１３Ａ〜１３Ｃを参照して、携帯端末１の表示部１１２に表示される「コンテンツを切り替えるための情報」の一例について説明する。図１３Ａ〜１３Ｃは、本実施形態に係る「コンテンツを切り替えるための情報」の一例を示すための図である。
図１３Ａに示す通り、表示部１１２は、コンテンツ表示領域１０１０にメインコンテンツ「ＣＨ１  Ａ番組」を表示し、投稿情報表示領域１０２０にメインコンテンツ「ＣＨ１  Ａ番組」に関連付けて投稿された投稿情報が表示されている。なお、投稿情報表示領域１０２０には、現在の時点から、３分前、６分前、８分前、９分前に投稿された４つの投稿情報が、時系列に並べて表示されている。
ここで、判定部１２８（あるいは判定部４４３）によって、切替条件を満たしていると判定された場合、表示部１１２は、図１３Ｂに示す通り、コンテンツ表示領域１０１０の下に「コンテンツを切り替えるための情報」を表示するための切替メッセージ表示領域１０３０を表示するとともに、投稿情報表示領域１０２０に変えて、「メインコンテンツをサブコンテンツに切り替えるための情報」を表示するとともに評価値を表示するための切替操作（評価値）表示領域１０５０を表示する。
この切替操作（評価値）表示領域１０５０には、コンテンツを指定して、コンテンツの切り替えを指示するための操作表示部（ＧＵＩ）と、それぞれのコンテンツについての評価値とを含む画面が表示される。例えば、ＣＨ１，２，５，６，７，８，１０用の操作表示部（ＧＵＩ）と、それぞれのチャンネルのコンテンツの評価値を棒グラフで示す画面が表示される。
【００５８】
そして、切替操作（評価値）表示領域１０５０に表示された操作表示部（ＧＵＩ）がタッチされ、あるいはコンテンツ表示領域１０１０までドラッグされた場合、操作内容判定部１２１は、指定されたサブコンテンツへの切り替えを指示する操作が入力されたと判定する。ここでは、ユーザが、ＣＨ５の操作表示部（ＧＵＩ）をタッチしたまま、コンテンツ表示領域１０１０までドラッグしたとする。
これにより、出力制御部１２２は、図１３Ｃに示す通り、コンテンツ表示領域１０１０に表示するコンテンツを「ＣＨ１  Ａ番組」から「ＣＨ５  Ｅ番組」に切り替える。つまり、メインコンテンツをサブコンテンツに切り替える。
このように、サブコンテンツを切り替えるための情報（ＧＵＩ等）が表示されることにより、ユーザは、他のチャンネルへの切替を容易に行うことができる。また、各コンテンツの評価値が表示されることにより、例えば、最も高い評価値のコンテンツを選択することができる。
【００５９】
上述の通り、本実施形態に係る表示システムは、ワンセグなどのテレビ放送の映像と視聴中の映像に連動した投稿情報（ミニブログ等）の閲覧を同時に表示可能な情報端末において、投稿情報の盛り上がり度により、視聴中のテレビ放送のチャンネルを切り換えることができる。ユーザが特別な操作を行なうことなく、その時点で話題性のある番組の視聴に誘導することができるため、ユーザが特別な検索や操作を行なう必要がなくなる。
一方、本実施形態によらない場合、ワンセグなどのテレビ放送を視聴中に、視聴中の番組よりも話題になっている番組を探す場合、ユーザが投稿情報や掲示板の情報を検索し、その内容からユーザ自身が話題になっているかどうかを現在放送中の番組について分析を行い、チャンネルを自分で切り替える必要があった。また、これらの操作は、ユーザが気づいた時点で行なうため、すでに話題になっていた番組は終了してしまい、視聴機会を失うという問題があった。
【００６０】
これに対して、本実施形態に係る表示システムは、ユーザが盛り上がり度を判断するために、現在視聴中の番組と、視聴中の番組に対する投稿を表示する投稿情報の画面を同時に表示する。番組の映像表示と投稿情報の表示は、１つの画面内で分割する方法や、複数の画面を利用する方法が考えられる。投稿情報の表示は、随時更新されていくため、更新状態を確認することで、ユーザは視聴中の番組の盛り上がり度を確認し、話題性があるかどうかを判断することができる。
また、盛り上がり度の確認方法の１つとして、書き込みの頻度を利用する方法が考えられる。投稿情報のタイムライン上で、書き込みの頻度が低ければ、盛り上がり度が小さい、話題性が小さいと判断でき、逆に書き込みの頻度が高ければ、視聴者が多く、話題性も大きいということになる。
このようにして、番組の映像と番組に関する投稿情報を同時に表示することで、その番組の盛り上がり度を確認でき、ユーザはチャンネル切替の契機を得ることができる。
【００６１】
上記のようにテレビ画面と投稿情報の画面を同時に表示する構成とした上で、ユーザが視聴中の番組の話題性を簡単に判断するために、投稿情報の盛り上がり度を常に監視する手段を設ける。
書き込みの頻度で計測する場合は、単位時間あたりの書き込み件数を常に監視する。
また、盛り上がり度について話題性を判断するための閾値を設けても良く、盛り上がり度が閾値以上であれば、話題性が大きいと判断し、視聴中の番組表示を継続する。閾値より小さければ、話題性が小さいと判断し、視聴中の番組から別の番組に切り替えることを推奨する通知を画面表示する。ユーザはチャンネル切替の契機をより簡単に得ることができる。
別の番組に切り替えることを推奨する通知として、メッセージを画面に表示する手段、メッセージとともに、またはメッセージの代わりとして、チャンネル選択のＵＩ（Ｕｓｅｒ Ｉｎｔｅｒｆａｃｅ）を表示する手段を設けることができる。チャンネル選択のＵＩを表示することで、より簡単にチャンネル切替を行なうことが可能である。タッチパネル付ディスプレイを搭載する情報端末では、画面上のチャンネルを表すＧＵＩをタップする、テレビの映像表示領域にドラッグする操作により、チャンネル切替を行う。
また、チャンネル選択のＵＩ上に、チャンネル毎の盛り上がり度を一緒に表示する手段を設けても良い。チャンネル毎の盛り上がり度は、視聴中の番組だけでなく裏番組の盛り上がり度を監視した結果を表示する。この処理は、情報処理装置（携帯端末など）上のプログラムで行なってもよいし、投稿情報を管理するサーバ上のプログラムで行なってもよい。裏番組も含めて盛り上がり度を確認することで、ユーザがチャンネルを選択する際の補助となる。
【００６２】
裏番組（サブコンテンツ）も含めた盛り上がり度の監視は、視聴中の番組の話題性が小さいと判断した契機ではなく、常時としてもよい。常時とする場合は、さらに、視聴中の番組（メインコンテンツ）と裏番組の盛り上がり度の比較から、別の番組に切り替えることを推奨する通知の表示タイミングを制御するために、視聴中の番組と裏番組の盛り上がり度を比較して表示することを可能とする手段を設ける。
これにより、視聴中の番組の盛り上がり度が小さいと判定されても、視聴中の番組よりも盛り上がり度が大きい裏番組が他にない場合は、別の番組に切り替えることを推奨する通知を表示せず、視聴中の番組表示を継続することが可能である。また、別の番組に切り替えることを推奨する通知を表示せず、その時点で最も盛り上がり度が大きい裏番組に自動的に切り替えることも可能である。自動的に切り替えるかどうかについては、設定を行なえるようにしてもよい。
裏番組の盛り上がり度の表示は、テレビ番組中のコマーシャルを自動検出する周知の技術を利用して、コマーシャルに移行したタイミングとしてもよい。これにより、ユーザの視聴を邪魔することなく、別の番組に切り替えることを推奨する通知を行なうことができる。
【００６３】
従って、視聴中の番組の盛り上がり度を計測した結果から話題性の大きさを判断し、話題性が小さい場合にユーザに通知を行なうことで、視聴中の番組から他の番組に切り替える契機をユーザに提供することが可能となる。
また、上記に関連して、ユーザ通知を行なうタイミングで、チャンネル選択のＵＩを表示することで、他の番組に簡単に切り替えることが可能となる。
さらに、上記に関連して、ユーザ通知を行なうタイミングで、裏番組の盛り上がり度を表示することで、どのチャンネルに切り替えるべきかユーザが判断する上で、有用な情報を提供することが可能となる。
また、裏番組も含めた盛り上がり度を常時監視することで、視聴中の番組より盛り上がり度が高い番組がないにもかかわらず、他の番組に切り替える契機をユーザに通知することを防ぐことが可能となる。
さらに、ユーザ通知を行なうタイミングとして、盛り上がり度に加えて、コマーシャル中という条件を追加することで、ユーザの番組視聴を邪魔することなく、視聴中の番組から他の番組に切り替える契機をユーザに提供することが可能となる。
また、テレビ放送を視聴中に、現在視聴している番組の盛り上がり度や、裏番組の盛り上がり度を通知し、話題性の高い番組の視聴の見逃しを防止することができる。
【００６４】
また、本実施形態において、操作部１１１と表示部１１２とは、タッチパネル１０１に含まれる構成であると説明したが、本発明はこれに限られない。例えば、表示部１１２がタッチセンサを搭載していないディスプレイであって、操作部１１１がマウスやキーボード、ボタン等の操作手段であってもよい。
また、投稿情報は、ミニブログやツイッター（登録商標）、あるいはブログに投稿される情報を含む。
【００６５】
さらに、本実施の形態に係る情報処理システム、携帯端末１およびサーバ４は、内部にコンピュータシステムを有している。そして、動作の各過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００６６】
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムに既に記録されているプログラムとの組合せで実現できるもの、いわゆる差分ファイル（差分プログラム）であっても良い。
【００６８】
上記の実施形態の一部又は全部は、以下の付記のようにも記載され得るが、以下に限られるものではない。
【００６９】
（付記１）出力部に出力可能なコンテンツのコンテンツデータであって、現時点において配信されている前記コンテンツデータを受信する通信部と、前記コンテンツに対応付けてＷＥＢ上に投稿される投稿情報の投稿状況を評価する評価値を算出する評価値算出部と、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、前記切替条件が満たされていると判定された場合、前記コンテンツを切り替えるための情報を出力するように前記出力部を制御する出力制御部と、を備えることを特徴とする表示システム。
【００７０】
（付記２）前記出力制御部は、前記コンテンツを切り替えるための情報として、前記メインコンテンツの前記評価値よりも前記評価値が高い前記サブコンテンツに切り替えるための情報を出力するように前記出力部を制御することを特徴とする付記１に記載の表示システム。
【００７１】
（付記３）前記判定部は、前記メインコンテンツの前記評価値が予め決められた閾値未満である場合、前記切替条件が満たされていると判定することを特徴とする付記１あるいは２に記載の表示システム。
【００７２】
（付記４）前記判定部は、前記メインコンテンツの前記評価値が前記サブコンテンツの前記評価値よりも低い場合、前記切替条件が満たされていると判定することを特徴とする付記１から３のうちいずれか一項に記載の表示システム。
【００７３】
（付記５）前記出力制御部は、前記切替条件が満たされていると判定された場合、前記メインコンテンツの前記評価値よりも前記評価値が高い前記サブコンテンツに、前記出力部の出力を切り替えることを特徴とする付記１から４のうちいずれか一項に記載の表示システム。
【００７４】
（付記６）前記出力制御部は、前記評価値算出部が算出した前記評価値を出力するように前記出力部を制御することを特徴とする付記１から５のうちいずれか一項に記載の表示システム。
【００７５】
（付記７）前記出力部に出力表示されている操作画像部に入力された操作を受け付ける操作部をさらに備え、前記出力制御部は、前記メインコンテンツを前記サブコンテンツに切り替えるための前記操作画像部を出力表示するように前記出力部を制御することを特徴とする付記１から６のうちいずれか一項に記載の表示システム。
【００７６】
（付記８）前記出力制御部は、前記切替条件が満たされていると判定された場合、前記メインコンテンツの本編に挿入されたコマーシャルの放送時間帯において、前記コンテンツを切り替えるための情報を出力するように前記出力部を制御することを特徴とする付記１から７のうちいずれか一項に記載の表示システム。
【００７７】
（付記９）出力部に出力可能なコンテンツのコンテンツデータであって、現時点において配信されている前記コンテンツデータを受信する通信部と、前記コンテンツに対応付けてＷＥＢ上に投稿される投稿情報の投稿状況を評価する評価値を算出する評価値算出部と、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定部と、前記切替条件が満たされていると判定された場合、前記コンテンツを切り替えるための情報を出力するように前記出力部を制御する出力制御部と、を備えることを特徴とする表示装置。
【００７８】
（付記１０）出力部に出力可能なコンテンツのコンテンツデータであって、現時点において配信されている前記コンテンツデータを受信するステップと、前記コンテンツに対応付けてＷＥＢ上に投稿される投稿情報の投稿状況を評価する評価値を算出するステップと、前記評価値に基づき、前記コンテンツのうち前記出力部に出力されているメインコンテンツを、前記コンテンツのうち前記出力部に出力されていないサブコンテンツに切り替える切替条件が満たされているか否かを判定するステップと、前記切替条件が満たされていると判定された場合、前記コンテンツを切り替えるための情報を前記出力部に出力するステップと、を備えることを特徴とする表示方法。
【００７９】
（付記１１）コンピュータを、出力部に出力可能なコンテンツのコンテンツデータであって、現時点において配信されている前記コンテンツデータを受信する通信手段、前記コンテンツに対応付けてＷＥＢ上に投稿される投稿情報の投稿状況を評価する評価値を算出する評価値算出手段、前記評価値に基づき、前記コンテンツのうち前記出力部に出力されているメインコンテンツを、前記コンテンツのうち前記出力部に出力されていないサブコンテンツに切り替える切替条件が満たされているか否かを判定する判定手段、前記切替条件が満たされていると判定された場合、前記コンテンツを切り替えるための情報を出力するように前記出力部を制御する出力制御手段、として機能させるためのプログラム。
【００８０】
この出願は、２０１２年３月８日に出願された日本出願特願２０１２−５２２３７号を基礎とする優先権を主張し、その開示の全てをここに取り込む。
【産業上の利用可能性】
【００８１】
本発明によれば、出力部に出力されているコンテンツを切り替える適切なタイミングを容易に知ることができる。
【符号の説明】
【００８２】
１…携帯端末
２…無線通信網
２Ａ…基地局
２Ｂ…交換機
３…インターネット
４…サーバ
５…テレビ局
６…送信アンテナ
７…記録メディア
８…外部機器
１０１…タッチパネル
１０２…制御部
１０３…記憶部
１０４…アンテナ
１０５…テレビ放送受信部
１０６…通信部
１０７…タイマー
１１１…操作部
１１２…表示部
１２１…操作内容判定部
１２２…出力制御部
１２３…放送データ制御部
１２４…音信号処理部
１２５…登録部
１２６…投稿部
１２７…評価値算出部
１２８…判定部
１３１…プログラム記憶領域
１３２…一時記憶領域
１３３…コンテンツ記憶領域
１３４…投稿情報記憶領域
４０１…操作部
４０２…通信部
４０３…記憶部
４０４…制御部
４０５…計時部
４０６…表示部
４３１…コンテンツ放送情報テーブル
４３２…ユーザ属性情報テーブル
４３３…投稿情報テーブル
４４１…登録部
４４２…評価値算出部
４４３…判定部
４４４…検索部
４４５…出力制御部
【図１】
2013133010.tif 000003
【図２】
2013133010.tif 000004
【図３】
2013133010.tif 000005
【図４】
2013133010.tif 000006
【図５】
2013133010.tif 000007
【図６】
2013133010.tif 000008
【図７】
2013133010.tif 000009
【図８】
2013133010.tif 000010
【図９】
2013133010.tif 000011
【図１０】
2013133010.tif 000012
【図１１Ａ】
2013133010.tif 000013
【図１１Ｂ】
2013133010.tif 000014
【図１２Ａ】
2013133010.tif 000015
【図１２Ｂ】
2013133010.tif 000016
【図１２Ｃ】
2013133010.tif 000017
【図１３Ａ】
2013133010.tif 000018
【図１３Ｂ】
2013133010.tif 000019
【図１３Ｃ】
2013133010.tif 000020
【国際調査報告】
2013133010.tif 000021
2013133010.tif 000022
2013133010.tif 000023